(57)【要約】  宝飾品物品は、該宝飾品物品からの宝石のとのはずし可能なエンゲージメントのための宝石セッティングを有する。宝石セッティングは宝石と宝飾品物品との安全な方法でのバイアスされたエンゲージメントを可能とし、宝飾品物品からの不注意による分離を防止する。宝石と宝飾品物品とのエンゲージメントのための特殊な道具が、宝石と宝飾品物品との安全な連結を向上させるために提供される。交換可能な宝石、セッティングおよび宝飾品物品のシステムも提供される。
2005508660.tif 000002
【特許請求の範囲】
【請求項１】
複数の宝石を宝飾品物品中に交換可能に設置することができる宝石を保持するためのシステムであって、該システムは、
ａ）受容小室、およびバイアシング要素を含む固定された部分であって、該固定された部分が宝飾品物品内に収容されるように適合されたもの、および
ｂ）宝石を保持するように適合されたシート部分を含み、さらに前記受容小室内に挿入するために適合された少なくとも１つのインサート要素を有する、取り外し可能な部分、を含み、
ｃ）該固定された部分はさらに外側端および内側端を有し、該外側端は該宝飾品物品を身につけている間に露出されるように適合され、該内側端は該宝飾品物品を身につけている間に隠されるように適合され、
ｄ）該固定された部分は、その内側端を介して受容小室内に入る少なくとも１つのインサート要素のための通路のために、該固定された部分内の該取り外し可能な部分のシーティングのために、さらに該外側端に隣接したシート部分内に配置された宝石のディスプレイのために適合し、
ｅ）少なくとも１つのインサート要素が、該固定された部分内の取り外し可能な部分の回転の際に、バイアシング要素をエンゲージする、ことを含む、システム。
【請求項２】
外側端と内側端がそれぞれ直径を有し、外側端の直径が内側端の直径よりも小さく、インサート要素が外側端を完全に通過することを防止する、請求項１記載のシステム。
【請求項３】
少なくとも１つのインサート要素があらかじめ決定された形状を有し、内側端が通路のパターンを有し、該パターンのそれぞれの通路の形状が、該少なくとも１つのインサート要素の形状に対応している、請求項１記載のシステム。
【請求項４】
少なくとも１つのインサート要素がフィン型をしている、請求項３記載のシステム。
【請求項５】
あらかじめ決定された形状および通路のパターンが、インサート要素の受容小室への誤った挿入を防止するように配置されている、請求項３記載のシステム。
【請求項６】
バイアシング要素がさらに実質的に環状のバネ要素を含む、請求項１記載のシステム。
【請求項７】
バイアシング要素がさらに少なくとも１つの弦状部分を含む、請求項６記載のシステム。
【請求項８】
少なくとも１つのインサート要素の上に配置された、少なくとも１つの弦状部分とバイアスにエンゲージメントするための少なくとも１つの溝をさらに含む、請求項７記載のシステム。
【請求項９】
バイアシング要素が、固定された部分の内側端の方向にバイアスされている、複数のタブ部分を有する、請求項１記載のシステム。
【請求項１０】
受容小室の中に配置された停止表面をさらに有し、固定された部分内での取り外し可能な部分の回転を制限する、請求項１記載のシステム。
【請求項１１】
内側端から外側端へのみシート部分内に置かれた宝石が通過するように、該受容小室が適合される、請求項１記載のシステム。
【請求項１２】
固定された部分が宝飾品物品内に一体にマウントされている、請求項１記載のシステム。
【請求項１３】
宝石がシート部分に固定されて配置されている、請求項１記載のシステム。
【請求項１４】
固定された部分と取り外し可能な部分とのエンゲージメントおよびディスエンゲージメントを容易にするために、取り外し可能な部分とのエンゲージメントのために適合されたファシリテイターをさらに含む、請求項１記載のシステム。
【請求項１５】
ａ）外側端開口および外側端開口寸法を有する外側端および、内側端開口および内側端開口寸法を有する内側端により画定される受容小室、および該内側端と外側端との間に配置されたバイアシング要素、
ｂ）宝石シート、およびエンゲージメント部分を有するセッティング、
ｃ）宝石シートの上に置かれ、該外側開口を通過するように適合された宝石、を含み、
ｄ）該エンゲージメント部分が該内側開口を通って保持小室へと軸方向に挿入されるように適合され、該宝石が外側開口の近傍でディスプレイされ、そのようなエンゲージメント部分がついで、保持小室の内部のセッティングの回転の際に保持小室と、しっかりとバイアスされたエンゲージメントのために配置される、
ことを含む、宝飾品物品。
【請求項１６】
外側端開口の直径が内側端開口の直径よりも小さく、セッティング要素が外側端を完全に通過することを防止する、請求項１５記載の宝飾品物品。
【請求項１７】
内側端開口が通路のパターンをさらに有し、該セッティングがさらに通路のパターンに対応する配置を有する複数のインサート要素を有する、請求項１５記載の宝飾品物品。
【請求項１８】
通路のパターンと複数のインサート要素がフィン型をしている、請求項１７記載の宝飾品物品。
【請求項１９】
複数のインサート要素がセッティングの周囲に対称に、半径方向に配置されている、請求項１７記載の宝飾品物品。
【請求項２０】
その上に配置された追加の宝石を有し、保持小室との取り外し可能なエンゲージメントに適合された、少なくとも１つの追加のセッティングをさらに有する、請求項１５記載の宝飾品物品。
【請求項２１】
保持小室とセッティングとのエンゲージメントおよびディスエンゲージメントを容易にするために、セッティングとのエンゲージメントのために適合されたファシリテイターをさらに含む、請求項１５記載の宝飾品物品。
【請求項２２】
宝石および宝石シートとの間に配置されたバネまたはワッシャーをさらに含む、請求項１５記載の宝飾品物品。
【請求項２３】
保持小室が最初に宝飾品物品から離れてあり、エンゲージメント部分の挿入の前に宝飾品物品に固定される、請求項１５記載の宝飾品物品。
【請求項２４】
宝飾品物品とエンゲージ可能なカバーであって、保持小室内でのセッティングの回転を防止し、保持小室内にエンゲージメント部分が一旦確保されたら該保持小室からのセッティングの取り外しを防止する、カバーを有する、請求項１５記載の宝飾品物品。
【請求項２５】
ａ）複数のセッティング内の複数の宝石のセット、
ｂ）該複数のセッティングのそれぞれを別個に、かつ交換可能に受容するように適合された受容小室を有する少なくとも１つの宝飾品物品であって、該受容小室がインサート端およびディスプレー端を有する宝飾品物品、を含み、
ｃ）該複数のセッティングが軸に沿ってあり、回転可能であり、受容小室とエンゲージ可能であり、
ｄ）ディスプレー端を複数のセッティングが完全に通過しないような寸法を受容小室が有し、配置される、
宝飾システム。
【請求項２６】
それぞれが交換可能に複数のセッティングとエンゲージ可能な複数の宝飾品物品を有する、請求項２５記載の宝飾システム。
【請求項２７】
複数のセッティングに伴う同定手段を有する、請求項２５記載の宝飾システム。
【請求項２８】
同定手段の一体性、および同定手段とそれぞれのセッティングとの関係を保証するための、該同定手段に伴うシーリング手段をさらに含む、請求項２５記載の宝飾システム。
【請求項２９】
ａ）宝石セッティングにしっかりと固定された宝石、
ｂ）宝石セッティングを受容するための小室であって、宝石セッティングが該小室と取り外し可能にエンゲージすることができる小室、
ｃ）宝石セッティングにしっかりと固定された宝石を同定するための、宝石セッティングに伴う同定手段、
を含む、宝飾品物品。
【請求項３０】
宝石セッティングに対する同定手段の一体性を保証するための同定手段にともなうシーリング手段をさらに含む、請求項２９記載の宝飾品物品。
【請求項３１】
同定手段がマイクロチップである、請求項２９記載の宝飾品物品。
【請求項３２】
マイクロチップが使用者の情報をプログラムすることができるものである、請求項３１記載の宝飾品物品。
【請求項３３】
同定手段が宝石セッティングの表面に配置されたバーコードである、請求項２９記載の宝飾品物品。
【請求項３４】
同定手段が宝石セッティングの表面に配置された刻印である、請求項２９記載の宝飾品物品。
【発明の詳細な説明】
【技術分野】
【０００１】
本出願は２００１年３月２３日に出願された予備出願６０／２７８３１３に基づく利益を、３５Ｕ．Ｓ．Ｃ．１１９条（ｅ）により受けるものである。
本発明は一般に宝石類のセッティングに関し、より具体的には互いに回転バイアス可能な交換可能な部分を有する宝石類のセッティングに関する。
【背景技術】
【０００２】
宝石類のピースは従来永久的である。言い換えれば、宝石が一度セッティング内に固定されると、宝石およびセッティングは一体とされた組み合わされた単位として使用され、身につけられる。たとえばある宝石をあるときには指につけ、ある時には服にブローチとして付け、またある場合にはブローチまたはピンとして身につけたい場合には、これは大きな制限となる。
交換可能な宝石のセッティングは、そのような公知の制限を解消する。通常、交換可能な宝石のセッティングは、種種の石または宝石を単一のセッティングで使用する。別法として、単一の石または宝石は、種種の場所における装飾品のための種種のセッティングにおいて使用することができる。先行する実施例は、Ｐｒｕｓｓｉａｎの米国特許第１８６４３７１号に開示されている。
【０００３】
ほとんどの先行技術は、交換可能な宝石セッティングは、宝石が固定された第一のセッティングピース、および使用者が宝石のそのピースがその内部にあることを望む間、そのような第一のセッティングピースがその内部に確保される第二のセッティングピースを有する。Ｌａｎｄａｒの米国特許第１１６０７２３号に示されるように、第一のセッティングピースは第二のセッティングピースと糸により結束されることができる。他の確保方法は、Ｆｕｒｕｙａｍａの米国特許第４９８２５８１号、Ｌａｉの米国特許第５５８８３１０号、ＤｉＧｉｌｉｏらの米国特許第３９３３０１１号に開示されている。他の一般的な方法はＴａｗｉｌらの米国特許第５４５６０９５号に開示され、ここでは湾曲した保持小室を有するバヨネットタイプの固定装置が、第二のセッティング内に第一のセッティングを確保するために使用される。
【０００４】
上記のそれぞれの先行技術においては、第一のピースと第二のピースが手の動きにより不都合に離れてしまう場合があった。そのような可能性は、それらに宝石が固定されている第一のセッティングピースが下方に動き、第一のセッティングピースが第二のセッティングピース内に固定されることにより生じる。そのように配置においては、宝飾品物品を身につけている間に、第一のセッティングピースと第二のセッティングピースのエンゲージメントおよびディスエンゲージメントが容易に生じうる。宝石またはダイヤモンドを迅速に取り替えることが望ましい場合にはそのような配置が便利であるが、安全性に欠ける。さらに、第一および第二のピースの組み合わせが主として手により行われるので、第一および第二のピースの望んでいない開放を防止する先行技術における構造に固有の安全策はなかった。
【０００５】
本発明のセッティングは先行技術の不適当さを、宝石と宝飾ピースとの間の開放可能で交換可能なエンゲージメントのための安全策を提供することにより解消する。セッティングの構造は、宝飾品物品を身につけ、見せているときのセッティングからの宝石の望んでいない取り外しを、セッティングの外側ではなく、セッティングの内側からセッティングと宝石のエンゲージメントを必要とすることにより防止する。すなわち、たとえば宝石が人に指に着けた指輪である場合、宝石は指輪の外縁ではなく、指輪の内側を介して指輪内に挿入されることのみができる。さらに、宝石は好ましくは特別な道具によりセッティングにエンゲージメントされ、またはディスエンゲージメントされる。この道具は好ましくはセッティングに宝石を挿入し、取り外し、および交換するために使用されなければならない。すなわち、宝飾品物品の持ち主のみが道具を所有するので、セッティングからの宝石の望ましくない脱離が防止される。
【発明の開示】
【発明が解決しようとする課題】
【０００６】
本発明の目的は、交換可能な宝石セッティングを有する宝飾品物品セッティングを提供することである。
本発明のさらなる目的は、宝飾品物品と回転して固定可能である、交換可能な宝石セッティングを有する宝飾品物品のセッティングを提供することである。
本発明のさらなる目的は、宝石または宝石類似品が宝飾品物品にバネで確保された宝飾品物品のセッティングを提供することである。
本発明のさらなる目的は、宝石または宝石類似品が宝飾品物品から不都合にはずれることを防止する宝飾品物品のセッティングを提供することである。
本発明のさらなる目的は、宝飾品物品から宝石または宝石類似品をディスエンゲージメントし、またはこれにエンゲージするために、好ましくは特殊な工具を使用することを必要とする宝飾品物品のセッティングを提供することである。
本発明のさらなる目的および効果は、以下の詳細な説明および添付の図から明らかにされる。
【課題を解決するための手段】
【０００７】
宝飾品物品はそのような宝飾品物品からの宝石の取り外し可能なエンゲージメントのための宝飾品物品セッティングを有する。宝飾品物品セッティングは宝飾品物品と宝石との安全な方法でのバイアスされたエンゲージメントを可能とし、宝飾品物品からの宝石の不都合な分離を防止する。さらなる安全手段、たとえば宝飾品物品と宝石とのエンゲージメントのための特殊な道具の使用の必要性が、宝飾品物品セッティングの構造中に設計されても良い。宝飾品物品のセッティングは複数の宝石を交換可能に宝飾品物品内にセットすることを可能にとし、所望により宝飾品物品の外観を変化させることができる。さらに、種種の宝飾品物品セッティングが、種種の宝飾品物品内に組み入れることができ、そのようなセッティングで確保可能な宝石、およびそのような宝飾品物品は交換可能に使用することができる。
【０００８】
図１は、本発明の宝飾品物品セッティングの部品の分解組み立て図である。
図２は、本発明のインサート、バネ、および宝飾品物品の分解組み立て図である。
図３は、組み立てられたインサート、バネ、および宝飾品物品の透視図である。
図４は、本発明の宝石、ワッシャー、およびセッティングの分解組み立て図である。
図５は、組み立てられた宝石、ワッシャー、およびセッティングの透視図である。
【０００９】
図６Ａは、本発明の宝石セッティングを組み立てるために使用される部品の分解組み立て図である。
図６Ｂは、図１のセッティングの底面図である。
図６Ｃは、図１のインサートの上面図である。
図６Ｄは、インサートがセッティング内にフィットしたら、本発明のセッティングがインサート内で回転しないようにするために使用されるプラグまたはカバーである。
図７Ａ−７Ｃは、本発明のセッティングと本発明のインサートとのエンゲージメントを示す図である。
図８は、図１の組み立てられた部品の部分的な断面図である。
図９は、宝飾品物品と交換可能に取り付けられた複数の宝石を示す図である。
図１０は、本発明のセッティング要素の異なる設計の透視図である。
図１１は、本発明のインサート内の位置での図１０のセッティングの部分的に隠された図である。
図１２は、本発明のインサートの異なる態様を示す図である。
図１３は、本発明の宝飾品物品セッティングの部品の異なる態様の分解組み立て図である。
図１４は、本発明の部品を確保する道具の図である。
【００１０】
本発明の宝飾品物品セッティングは消費者に、宝石または宝石類似品の使用と楽しさを最適かつ最大にする能力を提供するように設計される。通常、宝石はひとつの宝飾品物品として購入され、体の１カ所にのみつけることができる。これは非常に限定的であり、２，３の選択された場合以外に宝石を身につけることを防げる。使用者に安全に宝石を他の宝飾品物品と交換することを可能とし、使用者はひとつの環境でのみ宝飾品物品を身につけることから開放される。すなわち、宝石はある日は指輪に、次の日にはブレスレットに、その次の日にはピンに、その次の日にはイヤリングにすることができる。または、１日のうちで、宝石を他の異なる宝飾品物品と交換可能に使用することができる。したがって、複数の異なる宝石および複数の異なる宝飾品物品を有する使用者は、多くの異なる外観を有する多くの宝飾品物品を創作することができる。これは使用者に、内部に宝石が固定された宝飾品物品では不可能であった種種の選択と選択肢を与える。
【００１１】
以下の詳細な説明は、本発明が現在意図するベストモードである。そのような記載はなんらの限定を意図するものではなく、また本発明の単なる例示であり、以下の記載と図に基づいて当業者には本発明の利点と構成が理解される。以下の図においては、同じ参照数字は同じかまたは類似の部品を示す。
【００１２】
図１は本発明の宝飾品物品セッティングを用いた宝飾品物品の分解組み立て図である。一般に宝飾品物品２０、たとえばリング、ピン、ブレスレットなど、バネ４０、インサート６０，セッティング８０、ワッシャーまたはバネ１００、および宝石または宝石類似品１２０を含む。例示および説明のために、宝飾品物品２０は四角の片として示されるが、宝飾品物品２０はリング、ピン等の一部であるとして理解される。組み立ては、セッティング８０内におかれた宝石１２０の組み立て部分により定義される雄部分と、宝飾品物品２０内におかれたインサート６０とバネ４０の組み立て部分により定義される雌部分とをエンゲージすることにより完了する。
【００１３】
最初に、図２および３に示すように、バネ４０およびインサート６０は宝飾品物品２０内に提供されるオリフィス２１内におかれ、固定され、バネ４０が凹表面２２上に配置され、インサート６０の底部端面６２がバネリム４２の上に配置される。そのようなオリフィス２１は配置された表面２２、側面２４，内部開口２７を有する内部表面２４、および外側開口２９を有する外側表面２８により画定される。用語「内側」および「外側」は、人体につけたときの宝飾品物品２０に位置に関して使用される。言い換えれば、宝飾品物品２０がリングであって、そのような物品が指にはめられているときには、「外側」表面２８は露出している面をいい、「内側」表面２６は人の指に接し、見えない面を言う。インサート６０はさらに内側表面６３、以下に述べるようにセッティング８０を受容するように適合される受容小室６７、以下に述べるようにセッティング８０をエンゲージするために付随する下向きの突出部６８を有するエンゲージメント要素６５により画定される。後に詳細に説明される、配置されたインサート６０に向かって上向きにつきだしている弾力のあるバネタブ４４は、好ましくはインサート６０の底部端面６２に接触しない。インサート６０の側面６４は好ましくは宝飾品物品の内表面２４に、たとえばのり、エポキシなどの適当な接着剤により固定され、インサート６０の上部端面６６が宝飾品物品２０の内側表面２６と面一になるようにする。
【００１４】
図２および３に例示された工程、すなわちバネ４０とインサート６０との宝飾品物品２０内への配置は、部品２０が製造されるときに工場で行うことができ、または宝石の存在するピース内にオリフィス２１を形成することにより後で行われても良い。すなわち、インサート６０および宝飾品物品２０は、所望により単一のピースとして形成することができる。
【００１５】
宝石１２０のセッティング８０内への配置は、図４および図５に例示される。セッティング８０にはオリフィス８２が供され、宝石１２０を受容し、シーティング表面８４はワッシャー１００を受容するように適合される。セッティング８０はさらに上部端面８６，レッジ表面８７，底部端面８８（図６Ａおよび６Ｂも参照のこと）、およびそれから形成されたポケット９２を有するフィン型のエンゲージメント要素９０とともに供される。このポケットはインサート６０の内側のエンゲージメント要素６５の上に提供される突き出し６８（図２、３、６Ａ参照）をエンゲージするように設計される。エンゲージメント要素９０およびセッティング８０の宝飾品物品２０とのエンゲージメントは、図６Ａから８において説明される。
【００１６】
図４および５では、バネまたはワッシャー１００の使用は、宝石１２０とセッティング８０との間の配置接触を保護するために好ましいが、そのような使用は重要ではなく、所望により構成に含まれなくても良い。要素１００は単純なゴムワッシャーまたはバネ４０に類似したバネであっても良い。ある場合には、ワッシャーの使用が望ましい。たとえば、ワッシャー１００は本物のダイヤを見せず、たとえばキュービックジルコニアのような偽物のダイヤをみせることができる。すなわち、ワッシャー１００はセッティング８０内に配置される宝石１２０のタイプを確認するために使用することができる。しかし、ワッシャーを使用することが好ましくない場合には、その代わりにバネを使用することができる。
【００１７】
少なくとも、宝石１２０が一旦セッティング８０内にセットされたら、セッティング８０の上端８６は宝石１２０を所定位置に固定するために使用される。そのような固定は宝石１２０のクラウン１２２の上の上端物質の曲げ、またはクラウン１２２の上に折られたプロング（図示せず）の使用を含むことができる。別法として（図示せず）、宝石１２０はセッティング８０の下方を通して挿入することができ（それらを介して宝石を通すことができる手段を有するセッティングの使用が必要である）、そしてある種の充填物質とともにセッティングに確保されることができる。そのようなタイプの固定は宝石１２０をセツトする人に、宝石１２０がセッティングの上端８６により画定される開口を介して完全にフィットしているかどうかの最初のチェックを可能とする。そうでなければ、クラウン１２２の上に曲げられた上端物質はクラウンを過剰に覆うか、またはセッティング８０に宝石を固定するのに十分にクラウン１２２を十分に覆わない。他の固定方法も企図される。
【００１８】
宝石１２０が一旦セッティング８０内に組み込まれたら、セッティング８０および宝石１２０の組み合わせは、図６Ａから図８に示すように宝飾品物品２０とエンゲージされる。セッティング８０の下部端面８８（図６Ｂ）は、複数のレッジ９４とともに供され、該レッジはインサート６０とのエンゲージメントおよびディスエンゲージメントの間のセッティング８０の容易な操作のために、接触部分１４２およびハンドル１４１を有するキー１４０を受容するように適合されたシートを、下部端面８８に沿って画定する。言い換えれば、キー１４０の接触部分１４２は、セッティング８８の下部端面８８に沿って画定された開口内にしっかりとフィットし、レッジ９４により結合されるように設計される。セッティング８０はインサート６０の受容小室６７の中に、エンゲージメント要素９０をインサート６０の上部端面６６に沿って画定される開口にアラインすることにより挿入可能である（図６Ｃ）。図６Ａから６Ｃに示すように、そのようなアラインメントは、上部端面８６がインサート６０に向き、下部端面８８がインサート６０と逆に向いているようにセッティング８０が挿入されたときにのみ生ずる。言い換えれば、上部端面６６開口部のユニークな設計およびエンゲージメント要素９０のそれに対応した設計のために、セッティング８０は下部端面８８からからインサート６０内へ間違って、または不適当に挿入されることはない。
【００１９】
図７Ａから８に示すように、エンゲージメント要素９０を上部端面６６開口部を介して通し、バネ４０のバネタブ４４とセッティング８０のレッジ表面８７が接触するようにし、セッティング８０はついでインサート６０の受容小室６７内に挿入される。ついでセッティングの下部端面８８にエンゲージされたキー１４０を使用し、セッティング８０を押し（図７の矢印１５０）、バネタブ４４に対してインサート６０内にさらに入れ、インサートエンゲージメント要素６５に沿って存在する突起６８が、セッティングエンゲージメント要素９０に沿って存在するポケット９２内にはまるまで回転する（図の矢印１５５）。インサート６０の内側表面６３内に形成される停止表面６９は、インサート６０に対してセッティング８０が回転しすぎることを防止する。図７Ｂから７Ｃは、エンゲージメント要素６５と９０の間の対応を示している。セッティング８０が最初にインサート６０内に誘導されたとき、インサート６０内のセッティング８０の単なる回転は、突起６８とポケット９２のエンゲージメントをもたらさない。なぜなら、エンゲージメント要素９０は初期にはエンゲージメント要素６５の方向にバイアスしているために、エンゲージメント要素９０の端９１が突起６８と接触するからである。すなわち、バネタブ４４に対して圧力をかけることにより、セッティング８０は、インサート６０に対するセッティング８０の回転の間、位置を変え、突起６８がセッティングエンゲージメント要素９０を超えることができるのである。キー１４０をセッティング８０から開放すると、バネ４０はポケット９２に対して突起６８をバイアスにする。突起６８とポケット９２のアラインメントは、バネタブ４４の変位を変えて、それにより突起６８をポケット内の場所にはめることにより、および／またはインサートの内側表面６３内に形成された停止表面６９の効果により、生じることができる。
【００２０】
図８に示すように、宝石１２０を有するセッティング８０は、インサート６０の受容小室６７および宝飾品物品２０内に挿入され、宝石１２０は宝飾品物品２０の外側表面に沿って露出される。言い換えれば、セッティング８０内に固定された宝石１２０は宝飾品物品２０の下側から挿入され、宝飾品物品２０を身につけている間、セッティング８０と宝石１２０がはずれることを不可能とする。宝飾品物品２０の外側表面２８に沿って画定された開口２９が、宝石１２０のクラウン１２２を通すが、セッティング８０の完全な通過を防ぐような寸法を有するからである。言い換えれば、宝飾品物品２０の外側表面２８に沿って存在し、それを通って宝石１２０が伸びる開口２９は、内側表面２６に沿って存在し、セッティング８０および宝石１２０がそれを最初に通過する開口２７よりも狭いのである。開口部２７／２９の間のそのような不等性の寸法は、宝飾品物品２０を身につけている間の宝飾品物品２０からの宝石１２０の不注意な分離に対してさらなる安全を提供する。
【００２１】
さらに大きな安全のために、さらなるカバーまたはプラグ１６０（図６Ｄ）をセッティング８０がインサート６０にエンゲージされた後、インサート６０の上部端面開口部６６内に挿入し、インサート６０内におけるセッティング８０の回転を完全に防止することができる。下向きの伸張部１６５は好ましくは、インサート６０の上部端面開口部６６を介して挿入するような形態にされ、それはエンゲージメント要素９０の受容小室６７内での回転を防止する。そのような伸張部１６５は開口６６内にちょうどフィットするような寸法にすることができる。すなわち、プラグ１６０はセッティング８０の回転を防止するだけではなく、宝飾品物品２０を身につけている間の宝飾品物品２０からの宝石１２０の不注意な分離に対してさらなる安全を提供する。
【００２２】
宝飾品物品２０から宝石１２０を取り出すことが望まれる場合には、単に宝飾品物品２０を体からはずし、キー１４０を使用し、再度内側に押し、インサート６０内のセッティング８０を逆に回し、エンゲージメント要素９０を表面６６に沿って配置された開口とアラインさせればよい。ついで、宝石１２０とセッティング８０は、宝石１２０のクラウン１２２を手で押して宝飾品物品２０から押し出すことができる。
【００２３】
本発明は１つのインサート６０を有し、その中に１つのセッティング８０に固定された１つの宝石１２０が挿入されている宝飾品物品２０について説明された。しかし、本発明は交換可能な宝石と宝飾品物品のシステムとして定義されることは明確に理解される。たとえば、複数のインサート６０が複数の宝飾品物品、たとえばピン、ブローチ、およびブレスレットの上に提供されることができる。本発明のインサート６０を有するそれぞれの宝飾品物品は、ついで本発明のセッティング８０内に宝石１２０のセットを受容するように適合される。すなわち、ある宝石をある日は指輪とし、次の日にはブレスレットに使うことができる。言い換えれば、本発明のセッティング８０内の宝石１２０のセットは、移動することができ、種種の宝飾品物品で交換可能に使用できる。別法として、図９に示すように、本発明のセッティング８０（図示せず）内の複数の宝石１２０ａ−ｄのセットを、１つの宝飾品物品２０に使用することができる。
【００２４】
本発明は１つの特定の実施態様に基づいて説明したが、そのような実施態様に限定することを意図するものではない。たとえば、セッティング８０の上のエンゲージメント要素９０と、インサート６０の上部端面６６の上に提供される開口はフィン型であるが、そのようなエンゲージメント要素および開口は異なる形態を有することができる（たとえば、図１２のインサート形状を参照、これは１つの可能なインサートの態様を示すが、他の態様も企図される）。また、図示されるように、そのようなエンゲージメント要素は単一または複数のエンゲージメント要素を含んでも良い。エンゲージメント要素９０の形態および開口の形態が、上記のように１方向でのみのセッティング８０のインサート６０内への挿入を許すことが好ましい。さらに、上述のようにポケット９２内に配置された突起６８の使用に加え、インサートの上のエンゲージメント要素とセッティングとの間のエンゲージメントは異なる形状を有することができる。
【００２５】
さらに、インサート６０とセッティング８０のエンゲージメントとディスエンゲージメントを容易にするために、バネ４０は異なる形状を有することができる。１つの例を図１０および１１に示す。ここでは丸い部分４０ｂ、平坦な弦状の部分４０ｃを有するユニークな設計のバネ４０ａが、インサート６０ａの内側表面６３の周縁部に配置され、エンゲージメント要素９０ａの側面９６内に形成された溝９５をエンゲージするように適合される。インサート６０ａの受容小室内にセッティング８０ａを最初に導入したとき、溝９５はばね４０ａをエンゲージしない。なぜなら、そのような溝９５はばねの丸い部分４０ｂに隣接して配置されるからである。しかし、インサート６０ａ内でのセッティング８０ａの回転の際、溝９５はばね４０ａの弦状部分４０ｃをエンゲージし、セッティング８０ａの回転に対して弾力性のあるバイアスとして作用する。すなわち、インサート６０ａ内のセッティング８０ａのしっかりとしたエンゲージメントは、ばね４０ａの直線部分４０ｃに対する溝９５の動きから得られる。必要であれば、停止表面または要素をインサート６０ａに提供し、インサート６０ａ内でのセッティング８０ａの過剰な回転を防止することができる。
【００２６】
図１３は本発明のさらなる態様を示す。この態様においては、宝石はワッシャーではなくバネによりセッティングに固定され、宝飾品物品アイテム内に配置された要素は、上記の態様とは異なる形状を有する。
【００２７】
セッティング２８０には穴２８２が設けられ、そこから宝石２２０の上部が飛び出す。宝石または宝石類似品２２０（下向きにされる）は、セッティング２８０内に配置され（さかさまに）、バネ２３０は宝石２２０のチップ２２２の上に配置される。ばね２４０に適合するくぼみ２１８を有するカバー２１５は、ついでセッティング２８０上に固定され、任意にカバー２１５とセッティング２８０はレーザーまたはのりによって互いに固着され、さならなる安全性を提供する。セッティング２８０にカバー２１５を付着する他の手段、たとえば２つの間を糸で連結する手段なども企図される。セッティング２８０，宝石２２０，バネ２３０およびカバー２１５の組み合わせは、交換可能な宝飾品物品の雄ピースを形成する。リング、ブローチなどの宝飾品物品アイテム３２０内に確保される雌型は、インサート２６０により形成される。
【００２８】
平坦なばね２４０は宝飾品物品アイテム３２０内の空洞２６７内に配置され、インサート２６０はその上に配置され、空洞２６７内に確保される。その内部に確保された宝石２２０を有するセッティング２８０は、ついでセッティング２８０がバネ２４０に接するまでインサートの空洞２６８内に押し込まれる。その後、セッティング２８０はバネの突起２４２に対して押され、セッティング２８０がインサート２６０内にロックされるまで回転する。図１４に示すように、セッティング２８０はカバー２１５の背面２１９内の開口２１６にエンゲージする突起３４２を有する道具３４０を介してドライブされる。開口２１６と道具の突起３４２の特殊な配置は、特殊な道具を有する者のみが、インサート２６０からセッティング２８０をエンゲージし、ディスエンゲージすることができることを保証する。宝飾品物品アイテム３２０とセッティング２６０、およびインサート２６０とセッティング２８０のエンゲージメントは、身につけてみせることのできる組み合わせた宝飾品物品アイテムを形成するために、前述の実施態様において例示された宝飾品物品アイテムのエンゲージメントとほぼ同様である。
【００２９】
宝石、セッティング、およびインサートのシステムも企図される。たとえば、すべての宝飾品物品アイテム３２０は２つの開口３２７および３２９を有する。インサート２６０は開口３２７を介して挿入され、宝石２２０は開口３２９を介して突き出される。本発明のシステムの交換可能な性質の利益を受けるために、および１つの宝飾品物品アイテムで複数の宝石を使用するために、セッティング２８０の厚さは異なるサイズの宝石に伴って変化し、複数の宝石セッティングが１つのインサート２６０に使用することができる。たとえば、４．００ｍｍから５．２０ｍｍの直径の５つの宝石を持っているとすると、それぞれの宝石が４．００ｍｍ（０．２５カラット）から５．３０ｍｍ（０．５０カラット）の範囲で変化する直径の宝石に伴うことのできるそれぞれのセッティング２８０内に確保されることができ、それぞれの宝石がその内部に確保された種種のセッティングを１つのインサート２６０に対して使用することができる。セッティング２８０の内部厚さは宝石の直径により変化するが、セッティングの外径は同じであり、複数のセッティングが１つのインサートで使用できる。
【００３０】
上記により、種種のサイズの宝石、セッティング、およびインサートが企図される。たとえば、１つのセッティング／インサートサイズが、４．００ｍｍ（０．２５カラット）から５．３ｍｍ（０．５０カラット）に対応し、他のセッティング／インサートサイズが、５．４ｍｍ（０．５０カラット）から６．７ｍｍ（１カラット）に対応し、他のセッティング／インサートサイズが、１−２カラットから２−３カラットに対応することができる。それぞれのサイズ範囲のために、一連のセッティング２８０が製造され、特定のサイズのインサートにフィットされる。このシステムの利点は明らかである。大きな宝石を取り付けるために宝飾品物品アイテムの穴を大きくする代わりに、異なるセッティング２８０内に宝石を配置し、ついでそのようなセッティング２８０をすでに宝飾品物品アイテム内に配置されているインサートに取り付ければよい。もちろん、これは特定の範囲のサイズについて有効である。０．２５カラットから３カラットの宝石は、実質的に大きな開口２６７と対応する大きなセッティング２６０を有する宝飾品物品アイテム（リング、ブローチなど）を明らかに必要とする。しかし、もし上記の実施例によれば、０．２５カラットから０．５０カラットまでの宝石を有する人は、宝飾品物品アイテム中に同じインサート２６０を使用することができ、宝飾品物品アイテム中の開口は変える必要がない。
【００３１】
図１３は、セッティング２８０に伴う同定手段２８５の使用も例示する。近年、ダイヤモンドにマイクロレーザー刻印でシリアルナンバーを記入する会社がある。このプロセスは同定することはできるが、石の上に顕微鏡的なマークを残す。本発明では、同定手段２８５はセッティング２８０の上に存在することができ、そのような同定手段２８５は特定のシール手段によりシールすることができ、そのようなシールが破壊されたときに同定の価値は無効になる。手段２８５の１つのタイプは、セッティング２８０の表面またはボディの中にチップを挿入することである。そのようなチップは外からは本質的に見えないマイクロチップであることができ、個人情報をプログラムすることができる。そのようなチップをセッティング２８０に同定手段２８５として組み込み、セッティング２８０と宝石２２０との一体性を確実なものとし、宝石２２０を全く損傷しないことを保証する。セッティングの表面または本発明のシステムの他の要素の上に配置された他の同定手段、たとえばバーコード、刻印なども企図される。シール手段が破壊されないで保持される限り、同定手段はセッティング２８０と宝石２２０はオリジナルであり、本発明のシステムの真正な製品であり、模造または偽造でないことが保証される。
【００３２】
本発明をいくつかの実施態様について本発明を説明してきたが、そのような具体例、実施態様に限定するものではなく、本発明の範囲は特許請求の範囲に記載されたとおりであり、これは先行技術を参照して最も広い範囲で解釈され、本発明の企図する範囲を包含するものである。
【図面の簡単な説明】
【００３３】
【図１】図１は、本発明の宝飾品物品セッティングの部品の分解組み立て図である。
【図２】図２は、本発明のインサート、バネ、および宝飾品物品の分解組み立て図である。
【図３】図３は、組み立てられたインサート、バネ、および宝飾品物品の透視図である。
【図４】図４は、本発明の宝石、ワッシャー、およびセッティングの分解組み立て図である。
【図５】図５は、組み立てられた宝石、ワッシャー、およびセッティングの透視図である。
【図６】図６Ａは、本発明の宝石セッティングを組み立てるために使用される部品の分解組み立て図である。  図６Ｂは、図１のセッティングの底面図である。  図６Ｃは、図１のインサートの上面図である。  図６Ｄは、インサートがセッティング内にフィットしたら、本発明のセッティングがインサート内で回転しないようにするために使用されるプラグまたはカバーである。
【図７】図７Ａ−７Ｃは、本発明のセッティングと本発明のインサートとのエンゲージメントを示す図である。
【図８】図８は、図１の組み立てられた部品の部分的な断面図である。
【図９】図９は、宝飾品物品と交換可能に取り付けられた複数の宝石を示す図である。
【図１０】図１０は、本発明のセッティング要素の異なる設計の透視図である。
【図１１】図１１は、本発明のインサート内の位置での図１０のセッティングの部分的に隠された図である。
【図１２】図１２は、本発明のインサートの異なる態様を示す図である。
【図１３】図１３は、本発明の宝飾品物品セッティングの部品の異なる態様の分解組み立て図である。
【図１４】図１４は、本発明の部品を確保する道具の図である。
【図１】
2005508660.tif 000003
【図２】
2005508660.tif 000004
【図３】
2005508660.tif 000005
【図４】
2005508660.tif 000006
【図５】
2005508660.tif 000007
【図６Ａ】
2005508660.tif 000008
【図６Ｂ】
2005508660.tif 000009
【図６Ｃ】
2005508660.tif 000010
【図６Ｄ】
2005508660.tif 000011
【図７Ａ】
2005508660.tif 000012
【図７Ｂ】
2005508660.tif 000013
【図７Ｃ】
2005508660.tif 000014
【図８】
2005508660.tif 000015
【図９】
2005508660.tif 000016
【図１０】
2005508660.tif 000017
【図１１】
2005508660.tif 000018
【図１２】
2005508660.tif 000019
【図１３】
2005508660.tif 000020
【図１４】
2005508660.tif 000021
【国際調査報告】
2005508660.tif 000022
2005508660.tif 000023
2005508660.tif 000024
2005508660.tif 000025
2005508660.tif 000026